(57)【要約】【課題】  記録容量の小さい着脱可能な記録メディアを用いて、画像が連続して記録再生可能な再生装置に対応した記録装置を提供できるようにする。【解決手段】  記録メディアが交換可能な記録装置において、記録時のメディア交換前に、次に挿入するメディアのタイトルを、現在挿入されている記録媒体のタイトルを引用して作成する。そして、メディア交換前に、次のメディアタイトルをリンク先情報として記録する。また、メディアを交換した後で、前に挿入されていたメディアのタイトルをリンク元情報として記録する。【選択図】  図１
2005243163.tif 000002
【特許請求の範囲】
【請求項１】
第１の記録媒体及び第２の記録媒体を着脱することが可能に構成され、前記着脱可能な記録媒体へアクセスする媒体アクセス手段を有する記録装置において、
前記第１の記録媒体から前記第２の記録媒体へ記録媒体を交換装填する際に、前記第２の記録媒体を識別する第１の識別情報を生成する第１の識別情報生成手段と、
前記第１の識別情報生成手段によって生成された第１の識別情報を前記第１の記録媒体へ記録する第１の識別情報記録手段とを有することを特徴とする記録装置。
【請求項２】
前記第１の記録媒体を識別する第２の識別情報を前記第１の記録媒体から抽出する識別情報抽出手段と、
前記識別情報抽出手段によって抽出された第２の識別情報を前記第２の記録媒体へ記録する第２の識別情報記録手段とを有することを特徴とする請求項１に記載の記録装置。
【請求項３】
前記第１の識別情報または前記第２の識別情報は、各々の記録媒体のタイトルであることを特徴とする請求項１または２に記載の記録装置。
【請求項４】
前記第１の識別情報または第２の識別情報は、ユニークな識別情報であり、インクリメンタルな数値がその情報の一部に含まれることを特徴とする請求項１〜３の何れか１項に記載の記録装置。
【請求項５】
前記第１の識別情報記録手段または前記第２の識別情報記録手段による記録動作を禁止する記録制御手段を有することを特徴とする請求項１〜４の何れか１項に記載の記録装置。
【請求項６】
第１の記録媒体及び第２の記録媒体を着脱することが可能に構成され、前記着脱可能な記録媒体へアクセスする媒体アクセス手段を有する記録装置における記録方法において、
前記第１の記録媒体から前記第２の記録媒体へ記録媒体を交換装填する際に、前記第２の記録媒体を識別する第１の識別情報を生成する第１の識別情報生成工程と、
前記第１の識別情報生成工程によって生成された第１の識別情報を前記第１の記録媒体へ記録する第１の識別情報記録工程とを有することを特徴とする記録方法。
【請求項７】
第１の記録媒体及び第２の記録媒体を着脱することが可能に構成され、前記着脱可能な記録媒体へアクセスする媒体アクセス手段を有する記録装置における記録方法をコンピュータに実行させるプログラムにおいて、
前記第１の記録媒体から前記第２の記録媒体へ記録媒体を交換装填する際に、前記第２の記録媒体を識別する第１の識別情報を生成する第１の識別情報生成工程と、
前記第１の識別情報生成工程によって生成された第１の識別情報を前記第１の記録媒体へ記録する第１の識別情報記録工程とをコンピュータに実行させることを特徴とするコンピュータプログラム。
【請求項８】
前記請求項７に記載のコンピュータプログラムを記録したことを特徴とするコンピュータ読み取り可能な記録媒体。
【発明の詳細な説明】
【技術分野】
【０００１】
本発明は記録装置及び記録方法に関し、特に、記録メディアの着脱が可能であり、画像及び音声が記録可能な記録装置に関する。
【背景技術】
【０００２】
従来、ビデオカメラやスチルカメラ、テープレコーダなどの画像や音声を記録する記録装置においては、記録情報の特性上、非常に情報量が多い。さらに、近年のデジタルカメラにおいては、撮影画素数が飛躍的に向上し、記録データ量がさらに大きくなる傾向にある。また、ビデオカメラの分野においても、SDフォーマットから、HDフォーマットへと移行するにあたり、ますます記録データ量が大きくなる傾向にある。
【０００３】
このように、記録データ量の増大化に伴い、記録メディアの記憶容量も増大しているものの、単一の記録メディアに対する記憶容量は限りがあり、記録を続行するために記録メディアの交換を迫られるケースが多々ある。さらに、記録メディアの交換回数が多くなると、記録メディアの前後関係が混乱し、後々メディアを整理するのに非常に手間がかかってしまう。
【０００４】
このような状況下、複数の着脱可能な記録メディアを同時に装着可能な機器においては、一方の記録メディアの空き領域が減ると、記録先を切り替え、元の記録メディア内につぎの記録メディアの書き込み先を示すリンク情報を書き込む方法が提案されている（特許文献１参照）。
【０００５】
【特許文献１】特開２００２−２７３８９号公報
【発明の開示】
【発明が解決しようとする課題】
【０００６】
しかしながら、前述した発明においては、複数の着脱可能な記録メディアを同時に装着する必要があるため、複数の（カードリーダやディスクドライブなどの）記録メディアアクセス手段が必要であった。また、ユーザにとって、連続する画像を撮影するために異なる種類の記録メディアを準備するのは非常に手間であるため、前述した発明は事実上、同種の記録メディアアクセス手段を複数備えなければならないことになる問題点があった。
【０００７】
一方、近年における民生用のデジタルビデオカメラやデジタルカメラにおいては、ますます小型化、ローコスト化が進んでいるため、同種の記録メディアアクセス手段を複数備えるのは困難である。
【０００８】
本発明は前述の問題点にかんがみ、複数の記録メディアアクセス手段を使用することなく、複数の記録メディアにまたがる記録に対して、正しい順序で再生することができるように記録可能な記録装置を提供できるようにすることを目的とする。
【課題を解決するための手段】
【０００９】
本発明の記録装置は、第１の記録媒体及び第２の記録媒体を着脱することが可能に構成され、前記着脱可能な記録媒体へアクセスする媒体アクセス手段を有する記録装置において、前記第１の記録媒体から前記第２の記録媒体へ記録媒体を交換装填する際に、前記第２の記録媒体を識別する第１の識別情報を生成する第１の識別情報生成手段と、前記第１の識別情報生成手段によって生成された第１の識別情報を前記第１の記録媒体へ記録する第１の識別情報記録手段とを有することを特徴としている。
【００１０】
本発明の記録方法は、第１の記録媒体及び第２の記録媒体を着脱することが可能に構成され、前記着脱可能な記録媒体へアクセスする媒体アクセス手段を有する記録装置における記録方法において、前記第１の記録媒体から前記第２の記録媒体へ記録媒体を交換装填する際に、前記第２の記録媒体を識別する第１の識別情報を生成する第１の識別情報生成工程と、前記第１の識別情報生成工程によって生成された第１の識別情報を前記第１の記録媒体へ記録する第１の識別情報記録工程とを有することを特徴としている。
【００１１】
本発明のコンピュータプログラムは、第１の記録媒体及び第２の記録媒体を着脱することが可能に構成され、前記着脱可能な記録媒体へアクセスする媒体アクセス手段を有する記録装置における記録方法をコンピュータに実行させるプログラムにおいて、前記第１の記録媒体から前記第２の記録媒体へ記録媒体を交換装填する際に、前記第２の記録媒体を識別する第１の識別情報を生成する第１の識別情報生成工程と、前記第１の識別情報生成工程によって生成された第１の識別情報を前記第１の記録媒体へ記録する第１の識別情報記録工程とをコンピュータに実行させることを特徴としている。
【００１２】
本発明の記録媒体は、前記に記載のコンピュータプログラムを記録したことを特徴としている。
【発明の効果】
【００１３】
本発明によれば、前記第１の記録媒体中に、第１の識別情報が記録されているため、前記第１の識別情報を用いれば、複数の記録媒体にまたがる記録に対しても、正しい順序で再生することが可能である。さらに、複数の媒体アクセス手段を必要とせず、システムを構成することができるので、記録装置のコンパクト化及び低コスト化を実現することが可能である。
また、本発明の他の特徴によれば、第２の記録媒体中に、第２の識別情報が記録されているため、前記第２の識別情報を用いれば、複数の記録媒体にまたがる記録に対しても、前の記録をさかのぼって確認することが可能である。
また、本発明のその他の特徴によれば、識別情報を記録媒体のタイトルにするようにしたので、識別情報がユーザに対して認識されやすく、また、ユーザが識別情報から記録内容の概要を連想し易くできて、管理性を向上させることができる。
また、本発明のその他の特徴によれば、媒体識別情報の作成が容易であり、かつ、ユーザにとっては、識別情報から記録媒体の前後の関係を判断しやすくなる。
また、本発明のその他の特徴によれば、連続しない記録を行わない場合や、ユーザが意図的に記録の連続性を断ちたいときには、毎回解除の操作を省略できるため、操作性を向上させることができる。
【発明を実施するための最良の形態】
【００１４】
以下、図面を参照して、本発明の記録装置及び記録方法の実施の形態を説明する。なお、本実施の形態でのリンクとは、記録の順序を示す記録メディアの場所を示す記録のことであり、具体的には、記録メディアを識別するIDや、記録メディアの物理アドレス、タイムコードなどが想定される。
【００１５】
本実施の形態では、特に記録メディアを識別するために、メディアのタイトルを使用している。また、続きが記録されているメディアの情報を「リンク先」、前に記録されているメディアの情報を「リンク元」という。リンク記録の有効または無効の切り替えは、ユーザが設定可能とするが、設定方法の詳細な説明は割愛す。
【００１６】
ここで、記録メディアのフォーマットを図７に示す。図７において、現在装着されている記録メディアが図中の110（メディア２）であるとする。110のメディアタイトル111は、「旅行２」である。また、カテゴリ112には、「行楽」が記録されており、（メディア２）110の前に記録した記録メディア100（メディア１）の情報であるメディアタイトル101と同じデータが、記録メディア110（メディア２）のリンク元メディアタイトル113として、「旅行１」が記録されている。
【００１７】
なお、図7において、103,113及び123は「リンク元メディアタイトル」を示し、105、115及び125「画像」を示し、126は「空き領域」を示している。
【００１８】
また、（メディア２）110の次に記録された記録メディアが120（メディア３）とすると、記録メディア120のメディアタイトル121と同じ情報が、リンク先データとして、記録メディア110のリンク先メディアタイトル113へ「旅行３」として記録されている。
【００１９】
（第１の実施の形態）
図１は、本発明の第１の実施の形態を示し、記録装置の概略構成を示すブロック図であり、記録メディアに光学ディスクを有するデジタルビデオカメラである。
図１において、カメラ制御部５は、カメラユニット６のフォーカス制御、ズーム制御、アイリス制御、撮影素子の制御等の駆動制御を行う回路群で構成される。
【００２０】
撮影時において、デジタル化された撮影データは、画像処理部３へ送られる。画像処理部３において画像処理された後のデジタル化された画像データは、記録媒体である光学ディスク９へ記録保存される。光学ディスク９は、メカ制御部１０で制御される。
【００２１】
メカ制御部１０は、データ書き込み読み出し用のピックアップ８、不図示のスピンドルモータ、光学ディスクローディング用のローディングローラ７等を制御する。なお、本実施の形態では、光学ディスクのローディングをシステム制御部１が制御するため、ユーザが不用意にディスクを取り出すことのできないスロットイン方式にて説明を行っている。
【００２２】
システム制部１は、制御マイコン１ａや、プログラム格納用ＲＯＭ、主記憶装置としてＲＡＭ等から構成されている。ユーザは、操作部２を通して、機器を操作することができる。撮影した画像や、システムの状態は、表示部４にて確認できる。
【００２３】
第１の第１の実施の形態における制御マイコン１ａのフローチャートを、図２〜図６に示す。
図２において、ユーザが撮影のため、操作部２の中にある不図示のモードスイッチを操作し、撮影モードへ切り替えると、制御マイコン１ａは、記録待機状態ステップS002（Rec Pause）へと遷移し、ユーザからの記録開始要求待ち状態（ステップS003、ステップS004）となる。ユーザが操作部の中にある不図示の記録トリガを押下すると、制御マイコン１ａはユーザからの記録開始要求があったと判断し、図３のステップS100へと遷移する。
【００２４】
図３に、記録中の制御マイコン１ａのフローチャートを示す。記録が開始（ステップS101）すると、制御マイコン１ａは、ユーザからの記録終了要求の有無をチェック（ステップS102）し、記録終了要求があれば、図２の記録待機状態（ステップS000）に遷移する。
【００２５】
また、ステップS103の判定の結果、記録終了要求がない場合にはステップＳ104に進んでディスクの残量をチェックする。このチェックの結果残量が十分であればステップS102に進んで記録を続け、残量が少ない場合にはステップS106に進んで記録を終了する。また、ユーザが操作部の記録トリガを再度押下すると、制御マイコン１ａは操作を検出し、再び記録待機状態（ステップS000）へと遷移し、ディスク残力が少なくなると、記録を停止（ステップS106）し、図４のリンク作成選択状態（ステップS200）へと遷移する。
【００２６】
図４に、リンク作成選択状態（ステップS200）における制御マイコン１ａの動作を説明するフローチャートを示す。
記録中にディスクの画像記録エリアの残量がなくなり、リンク作成設定（ステップS201）が有効になっている場合は、図８（ａ）に示すメッセージ画面200において、「ディスクがいっぱいです（201）」を表示部４へ表示する（ステップS202）。
【００２７】
前記の表示に応じて、ユーザが「続けて記録（202）」または「記録を終了する（203）」のどちらかを、操作部を用いて選択を行うわけであるが、制御マイコン１ａは、選択が行われるまでは、入力待ち状態（ステップS203、ステップS204）になる。そして、ステップS205において、ユーザ選択が「続けて記録する（202）」を選択した場合は、図５のリンク作成状態（ステップS300）へと遷移する。
【００２８】
また、ステップS205において、「記録を終了する（203）」を選択した場合は、ステップS206に進んで記録を終了する。ステップS201において、リンク作成が無効になっている場合も、同様に記録を終了する。
【００２９】
図６に、メディア（ディスク）のタイトル作成時の、制御マイコン１ａの動作を説明するフローチャートの一例を示す。
先ず、ステップS350でメディアタイトル作成動作が開始されると、現在挿入されているメディアのタイトル文字列を分割し、構文解析を行う（ステップS351）。前記構文解析の結果、設備語は数値であるか否かを判断する（ステップS352）。
【００３０】
ステップS352の判断の結果、現在のタイトルの接尾語が数値の場合は、接尾語に１を付加した数値で接尾語を更新し（ステップS353）、次のメディアのタイトル候補として、メモリへ保存する。また、ステップS352の判断の結果、接尾語が数値でないものに対しては、新たに接尾語を１として付加したもので、次のメディアのメディアタイトル候補を作成する（ステップS354）。
【００３１】
次のメディアのメディアタイトル候補が決定したら、図８（ｂ）に示すメッセージ204において、「次のタイトルを決めてください（205）」を表示部４へ表示し（ステップS355）、タイトル候補を「タイトル：旅行２（206）」を表示するとともに、ユーザへ「タイトル編集機能（208）」、それを承認する「OK機能207」を表示して選択機能を提供する。ユーザがタイトルを決定するまでは、入力待ち状態（ステップS356、ステップS357）となり、ステップS358においてタイトル編集を選択した場合はタイトルの編集処理を実行する（ステップS359）。また、ステップS358で候補を採用した場合は、候補のタイトルにて、次のメディアのメディアタイトルを決定して処理を終了する（ステップS360）。
【００３２】
図５に、リンク作成記録時における制御マイコン１ａの動作を説明するフローチャートを示す。
先ず、前述した処理にて、次ディスクのディスクタイトルを決定する（ステップS301）。次に、決定した次ディスクのディスクタイトルを、「リンク先ディスクタイトル」領域（図７の104/114/124）へ記録する（ステップS302）。また、現在挿入されているディスクのディスクタイトルと次ディスクのディスクタイトルを制御マイコン１ａのＲＡＭ領域へバックアップする（ステップS303）。
【００３３】
タイトルのバックアップが終わると、ローディングローラにて、ディスクをアンロード（ステップS304）し、図８（ｃ）に示すメッセージ209において、「次ディスクを挿入してください（211）」を表示部４へ表示する（ステップS305）。ここで、ユーザが次のディスクを挿入するまで、入力待ち（ステップS306）となる。
【００３４】
ユーザは、新しいディスクをローディング部へ挿入すると、制御マイコン１ａはローラの回転を検出、または不図示のセンサがディスクの挿入を検出するなどの方法を用い、ディスクが挿入されたことを検出すると、制御マイコン１ａは新しいディスクのローディングを行う（ステップS307）。
【００３５】
ローディングが完了すると、新たに挿入されたディスクがブランクディスクであるかどうかのチェック（ステップS310）を行う。このチェックで、ブランクディスクである場合は、ステップS301で決定したディスクタイトルと、アンロード前に記憶した前回挿入されていたディスクのディスクタイトルを、ＲＡＭ領域から取り出し、新しいディスクの所定の領域へ記録し（ステップS308、ステップS309）、その後、図２の記録待機状態（ステップS000）に戻る。
【００３６】
一方、ステップS311の判定において、新たに挿入されたディスクがブランクディスクではなかった場合、図９に示すメッセージ画面219において、「ブランクディスクではありません（220）」を表示部４へ表示（ステップS312）し、ユーザの選択待ちとなる（ステップS313、ステップS316）。このときに、「記録済みタイトル：自由研究（221）」、「ディスク取り出し（222）」、「フォーマットする（223）」、「記録終（224）」を表示する。
【００３７】
ユーザがフォーマットを選択した場合（ステップS314）は、フォーマット（ステップS315）を行い、ステップS308へ遷移する。ディスク取り出しを選択した場合（ステップS317）は、ステップS304へ遷移する。記録終了を選択した場合は、ステップS316にて記録を終了する。
【００３８】
なお、前述したフローチャートでは省略したが、ディスクを交換する場合において、「カテゴリ（行楽：図７の102/112/122）」などの情報を、次のディスクのカテゴリへコピーすることも可能である。
【００３９】
また、連続しない記録を行い場合や、ユーザが意図的に記録の連続性を断ちたいときには、識別情報を記録する動作を禁止する記録制御手段を設けて、リンク撮影を行わないようにすることもできる。このようにすると、毎回解除の操作を省略できるため、操作性が向上する。
【００４０】
（第２の実施の形態）
次に、本発明の記録装置及び記録方法の第２の実施の形態を説明する。
図１０は、記録メディアに光学ディスクを有するデジタルビデオカメラの概略構成を示すブロック図である。本実施の形態のデジタルビデオカメラにおいて、カメラ制御部５は、カメラユニット６のフォーカス制御、ズーム制御、アイリス制御、撮影素子の制御等の駆動制御を行う回路群で構成される。撮影時において、デジタル化された撮影データは、画像処理部３へ送られる。画像処理後のデジタル化された画像データは、記録媒体であるメモリカード２１へ記録保存される。メモリカードスロット２０は、データ書き込み読み出などを制御する。
【００４１】
システム制部１は、制御マイコン１ａや、プログラム格納用ＲＯＭ、主記憶装置としてＲＡＭ等から構成されている。ユーザは、操作部２を通して、機器を操作することができる。撮影した画像や、システムの状態は、表示部４にて確認できる。
【００４２】
図１１〜図１５に、第２の実施の形態のデジタルビデオカメラにおける制御マイコン１ａの動作を説明するフローチャートを示す。
図１１に、撮影開始時の制御マイコン１ａの制御を説明するフローチャートを示す。ユーザが撮影のため、操作部２の中にある不図示のモードスイッチを操作し、撮影モードへ切り替えると、制御マイコン１ａは、記録待機状態（ステップS400）からスタート状態（ステップS401）へと遷移し、次いで、メモリカード管理情報を読み出すなどして、記録準備処理（ステップS402）へと遷移する。
【００４３】
次いで、ユーザからの記録要求またはモード変更待ち状態（ステップS403、ステップS404、ステップS406）となる。そして、ユーザが操作部の中にある不図示の記録シャッターを押下すると、制御マイコン１ａはユーザからの記録要求があったと判断し、メモリカードへ撮影データの記録を実行する（ステップS407）。
【００４４】
そして、記録終了後、メモリカードの残量をチェックし（ステップS408、ステップS409）、残量が少ない場合は、次の撮影に備えて記録準備（ステップS500）へと戻る。
また、ステップS409のチェックの結果、メモリカードの残量が少なくない場合にはステップS402に戻って前述した動作を繰り返し行う。そして、メモリカードの残力が少なくなると、リンク作成選択状態へと遷移する。
【００４５】
リンク作成選択状態における制御マイコン１ａの動作は、図４のフローチャートで説明した動作手順と同様であり、記録中にメモリカードの画像記録エリアの残量がなくなり、リンク作成設定が有効になっている場合は、図１３（ａ）のメッセージ画面250に示す「カードがいっぱいです（251）」、「続けて記録（252）」、「記録を終了する（253）」を表示部４へ表示する。
【００４６】
次に、ユーザが「続けて記録（252）」または「記録を終了する（253）」のどちらかを、操作部を用いて選択を行うわけであるが、制御マイコン１ａは、選択が行われるまでは、入力待ち状態になる。
【００４７】
そして、例えば、ユーザ選択が「続けて記録する（252）」を選択した場合は、後述するリンク作成処理（図１２のステップS600）へと遷移する。一方、「記録を終了する（253）」を選択した場合は、記録を終了する。また、リンク作成が無効になっている場合も、同様に記録を終了する。
【００４８】
次に、メディア（メモリカード）のタイトル作成時における制御マイコン１ａの動作を説明する。
タイトル作成時における制御マイコン１ａの動作は、図６のフローチャートで説明した動作と同様である。先ず、現在挿入されているメディアのタイトル文字列を分割し、構文解析を行う。
【００４９】
現在のタイトルの接尾語が数値の場合は、接尾語に１を付加した数値で接尾語を更新し、次のメディアのタイトル候補として、メモリへ保存する。また、接尾語が数値でないものに対しては、新たに接尾語を１として付加したもので、次のメディアのメディアタイトル候補を作成する。
【００５０】
前述のようにして、次のメディアのメディアタイトル候補が決定したら、図１３（ｂ）に示すメッセージ画面254において、「次のカードのタイトルを決めてください（255）」、「ＯＫ（257）」、「編集する（258）」を表示部４へ表示して、ユーザへタイトル編集の選択手段を提供する。ユーザがタイトルを決定(「タイトル：旅行」（256）)するまでは、入力待ち状態となり、タイトル編集を選択した場合はタイトルを編集し、候補を採用した場合は、候補のタイトルにて、次のメディアのメディアタイトルが決定する。
【００５１】
次に、図１２のフローチャートを参照しながら、リンク記録時の制御マイコン１ａの動作を説明する。
先ず、前述した処理にて、次メモリカードのカードタイトルを決定する。次に、決定した次カードのカードタイトルを、「リンク先カードタイトル」領域（図７の104/114/124）へ記録する。
【００５２】
次に、現在挿入されているカードのカードタイトルと、次カードのカードタイトルとを制御マイコン１ａのＲＡＭ領域へバックアップする（ステップS603）。前記タイトルのバックアップが終わると、図１３（ｃ）に示すメッセージ画面259において、「カードを交換してください（210）」、「キャンセル（211）」を表示部４へ表示する（ステップS605）。ここで、ユーザが次のメモリカードを交換するまで、入力待ち（ステップS606）となる。
【００５３】
制御マイコン１ａは、ユーザがメモリカードを交換すると、カードが交換されたことを示すカードデテクト信号を検出する。メモリカードが交換されたことを検出すると、制御マイコン１ａは新しいメモリカードがブランクメモリカードであるかどうかのチェック（ステップS610）を行う。このチェックを行った結果が、ブランクであるか否かを調べる（ステップS611）。この結果、新しいメモリカードがブランクメモリカードである場合は、ステップS601で決定したメモリカードタイトルと、カード交換前に記憶した前回挿入されていたメモリカードのメモリカードタイトルを、ＲＡＭ領域から取り出し、新しいメモリカードの所定の領域へ記録する（ステップS608、ステップS609）。その後、撮影開始時の状態記録待機状態（ステップS400）へ再び遷移する。
【００５４】
一方、ステップS611の判定において、新たに挿入されたメモリカードがブランクメモリカードではなかった場合、図１４に示すメッセージ画面269において、「ブランクカードではありません（270）」、「記録済みタイトル：自由研究（271）」「フォーマットする（273）」、「記録終了（274）」を表示部４へ表示（ステップS612）し、その後、ユーザの選択待ちとなる（ステップS613、ステップS617、ステップS616）。
【００５５】
そして、ユーザが図１４における「フォーマットする（273）」を選択した場合は、フォーマット（ステップS615）を行い、その後、ステップS608へ遷移する。また、ステップS617において、メモリカード取り出しを検出した場合は、ステップS605へ遷移する。記録終了を選択した場合は、記録を終了する。
【００５６】
また、ステップS614において、ユーザが図１４の「記録終了（274）」を選択した場合にはステップS618に遷移して処理を終了する。なお、フローチャートでは省略したが、メモリカードを交換する場合において、「カテゴリ（図７の102/112/122）」などの情報を、次のメモリカードのカテゴリへコピーすることも可能である。
【００５７】
（本発明の他の実施の形態）
前述した実施の形態の機能を実現するべく各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００５８】
また、この場合、前記ソフトウェアのプログラムコード自体が前述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５９】
また、コンピュータが供給されたプログラムコードを実行することにより、前述の実施の形態の機能が実現されるだけでなく、そのプログラムコードがコンピュータにおいて稼働しているＯＳ（オペレーティングシステム）あるいは他のアプリケーションソフト等と共同して前述の実施の形態の機能が実現される場合にもかかるプログラムコードは本発明の実施の形態に含まれる。
【００６０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【図面の簡単な説明】
【００６１】
【図１】第１の実施の形態を示すシステムブロック図である。
【図２】第１の実施の形態における、記録待機状態の制御マイコンの動作を説明するフローチャートである。
【図３】第１の実施の形態における、記録中の制御マイコンの動作を説明するフローチャートである。
【図４】第１の実施の形態における、リンク作成選択状態の制御マイコンの動作を説明するフローチャートである。
【図５】実施の形態における、リンク作記録の制御マイコンの動作を説明するフローチャートである。
【図６】実施の形態における、次にメディアのタイトル作成時の、制御マイコンの動作を説明するフローチャートである。
【図７】実施の形態の記録メディアのフォーマットを示す図である。
【図８】第１の実施の形態における、表示部４の第１の表示例を示す図である。
【図９】第１の実施の形態における、表示部４の第２の表示例を示す図である。
【図１０】第２の実施の形態を示すシステムブロック図である。
【図１１】第２の実施の形態における、撮影開始時のの動作を説明するフローチャートである。
【図１２】第２の実施の形態における、リンク記録の制御マイコンの動作を説明するフローチャートである。
【図１３】第２の実施の形態の表示部に表示される第１の表示例を示す図である。
【図１４】第２の実施の形態の表示部に表示される第２の表示例を示す図である。
【符号の説明】
【００６２】
１  システム制御部
２  操作部
３  画像処理部
４  表示部
５  カメラ制御部
６  カメラユニット
７  ローディングローラ
８  ピックアップ
９  光学ディスク
１０  メカ制御部
２０  メモリカードスロット
２１  メモリカード
【図１】
2005243163.tif 000003
【図２】
2005243163.tif 000004
【図３】
2005243163.tif 000005
【図４】
2005243163.tif 000006
【図５】
2005243163.tif 000007
【図６】
2005243163.tif 000008
【図７】
2005243163.tif 000009
【図８】
2005243163.tif 000010
【図９】
2005243163.tif 000011
【図１０】
2005243163.tif 000012
【図１１】
2005243163.tif 000013
【図１２】
2005243163.tif 000014
【図１３】
2005243163.tif 000015
【図１４】
2005243163.tif 000016